(57)【要約】      （修正有）【課題】開封時に分断することなく引っ張るだけでシート状食品と米飯加工食品とが一体的になった状態で開封することができる米飯加工食品用包装材を提供する。【解決手段】平面視略長方形状をなす外フィルム部１０と、外フィルム部１０の一方向に対して直交する他方向に並列をなしてシート状食品Ａを介して外フィルム部１０に積層され、互いの先端部を付き合わすとともに各基端部が外フィルム部１０の両側端部に分離可能に接続された一対の第一内フィルム部２０と、各第一内フィルム部２０の先端から延出し、第一内フィルム部２０との境界に折曲稜線を形成するように先端を外側にして折り返された一対の第二内フィルム部３０とを備え、外フィルム部１０、及び第一内フィルム部２０は、外フィルム部１０の一方向の両端部同士が剥離可能にシールされていることを特徴とする。【選択図】図１
2009113834.tif 000002
【特許請求の範囲】
【請求項１】
シート状食品と米飯加工食品とを分離状態で包装可能に構成されるとともに、包装したシート状食品と米飯加工食品とを一体的にして開封可能に構成された米飯加工食品用包装材において、平面視略四角形状をなす外フィルム部と、外フィルム部の一方向に対して直交する他方向に並列をなして互いの先端部を付き合わすとともに各基端が外フィルム部の両側端に分離可能に接続された一対の第一内フィルム部と、各第一内フィルム部の先端から延出し、第一内フィルム部との境界に折曲稜線を形成するように先端を外側にして折り返された一対の第二内フィルム部とを備え、外フィルム部と第一内フィルム部との間にシート状食品が介設され、外フィルム部及び第一内フィルム部は、外フィルム部の一方向の両端部同士が剥離可能にシールされてなり、米飯加工食品を包み込むように第二内フィルム部を内側にして外フィルム部の一方向で二つ折りにするとともに対向する第二内フィルム部の端部同士をシールすることで米飯加工食品を包装するように構成されていることを特徴とする米飯加工食品用包装材。
【請求項２】
第二内フィルム部の先端部が、第一内フィルム部の基端よりも外側に延出している請求項１記載の米飯加工食品用包装材。
【請求項３】
外フィルム部の側端部に第一内フィルム部の基端部が剥離可能にシールされることで、第一内フィルム部の基端が外フィルム部の側端に分離可能に接続されている請求項１又は２記載の米飯加工食品用包装材。
【請求項４】
一対の第一内フィルム部の先端部同士が剥離可能に前記一方向にシールされている請求項１乃至３の何れか１項に記載の米飯加工食品用包装材。
【請求項５】
第二内フィルム部は、少なくとも米飯加工食品と対向する面にエンボス加工が施されている請求項１乃至４の何れか１項に記載の米飯加工食品用包装材。
【請求項６】
米飯加工食品が請求項１乃至５の何れか１項に記載の米飯加工食品用包装材で包装されていることを特徴とする米飯加工食品包装体。
【発明の詳細な説明】
【技術分野】
【０００１】
本発明は、シート状食品と米飯加工食品とを分離状態で包装し、開封時にシート状食品と米飯加工食品とが一体的になる米飯加工食品用包装材及び米飯加工食品包装体に関する。
【背景技術】
【０００２】
従来から、スーパーマーケットやコンビニエンスストア等で販売される米飯加工食品を包装する米飯加工食品用包装材として、シート状食品と米飯加工食品とを分離状態で包装し、開封時にシート状食品と米飯加工食品とが一体的になるように構成されたものが主流となっている。
【０００３】
かかる米飯加工食品用包装材は、平面視略長方形状をなすとともに一方向（長手方向）と直交する他方向（幅方向）に分割可能に形成される外フィルムと、シート状食品を介して外フィルムに重ね合わされ、外フィルムと同方向に分離可能な内フィルムとを備え、シート状食品を囲むように外フィルムと内フィルムとがシールされている。
【０００４】
前記外フィルムは、一般的に幅方向の中央部で一方向に切断するための切断手段が設けられており、その切断手段で一方向に切断することで幅方向に二分割できるようになっている。他方、前記内フィルムは、外フィルムの幅方向に並列に配置された二枚のフィルムで構成されており、二枚のフィルムが外フィルムと同方向に分離できるようになっている。
【０００５】
上記構成の米飯加工食品用包装材は、内フィルム上に米飯加工食品を載置した状態で、外フィルムの一方向で二つ折りにして対向する端部同士をヒートシールすることで、介在する内フィルムによって米飯加工食品とシート状食品とを分離した状態で包装できるようになっている。
【０００６】
そして、該米飯加工食品用包装材は、外フィルムを切断した上で幅方向に引っ張ることで二分割された外フィルム及び内フィルム（二枚のフィルム）がそれぞれ離間（分離）し、シート状食品と米飯加工食品との間にある内フィルム（二枚のフィルム）が抜き取られるようになっている。これにより、開封に併せてシート状食品と米飯加工食品とを一体的にできるようになっている（例えば、特許文献１参照）。
【特許文献１】特開２００６−２６４７５８号公報
【発明の開示】
【発明が解決しようとする課題】
【０００７】
しかしながら、上記構成の米飯加工食品用包装材は、開封時に外フィルムを切断手段で切断した上で幅方向に引っ張らなければ開封することができず、開封作業が繁雑である。また、かかる米飯加工食品用包装材は、開封後にシート状食品と一体的になった米飯加工食品を直接手掴みしなければならず、該米飯加工食品を食する人の手が汚れているときに不衛生であるといった問題もある。
【０００８】
そこで、本発明は、斯かる実情に鑑み、開封時に分断することなく引っ張るだけでシート状食品と米飯加工食品とを一体的にして開封することができ、しかも、シート状食品と一体的になった米飯加工食品を直接手掴みすることなく、衛生的に米飯加工食品を食することのできる米飯加工食品用包装材及び米飯加工食品包装体を提供することを課題とする。
【課題を解決するための手段】
【０００９】
本発明に係る米飯加工食品用包装材は、シート状食品と米飯加工食品とを分離状態で包装可能に構成されるとともに、包装したシート状食品と米飯加工食品とを一体的にして開封可能に構成された米飯加工食品用包装材において、平面視略四角形状をなす外フィルム部と、外フィルム部の一方向に対して直交する他方向に並列をなして互いの先端部を付き合わすとともに各基端が外フィルム部の両側端に分離可能に接続された一対の第一内フィルム部と、各第一内フィルム部の先端から延出し、第一内フィルム部との境界に折曲稜線を形成するように先端を外側にして折り返された一対の第二内フィルム部とを備え、外フィルム部と第一内フィルム部との間にシート状食品が介設され、外フィルム部及び第一内フィルム部は、外フィルム部の一方向の両端部同士が剥離可能にシールされてなり、米飯加工食品を包み込むように第二内フィルム部を内側にして外フィルム部の一方向で二つ折りにするとともに対向する第二内フィルム部の端部同士をシールすることで米飯加工食品を包装するように構成されていることを特徴とする。なお、ここで「先端部を付き合わす」とは、先端同士が接触状態で対向することは勿論のこと、先端部分が重ね合わさることも含む概念で、「シール」とは、ヒートシールや超音波シールによる溶着は勿論のこと、接着剤を介しての接着も含むものである。
【００１０】
上記構成の米飯加工食品用包装材によれば、米飯加工食品を包装した状態で第一内フィルム部及び第二内フィルム部がシート状食品と米飯加工食品との間に介在することになるので、シート状食品と米飯加工食品とを分離させた状態にすることができ、米飯加工食品の水分がシート状食品に到達して味や食感などを低下させてしまうのを防止することができる。
【００１１】
そして、該米飯加工食品用包装材は、米飯加工食品を包装した状態で各第二内フィルム部の先端側を互いに離間する方向に引っ張ると、第一内フィルム部と第二内フィルム部との境界にある折曲稜線が第一内フィルム部の先端側から基端側に移行する。すなわち、一対の第二内フィルム部の先端部を引っ張ると、第一内フィルム部と第二内フィルム部との境界に形成されていた折曲稜線が第一内フィルム部内で先端側から基端側に移行し、互いに付き合わせた各第一内フィルム部の先端側が第二内フィルム部の移動（引っ張り）に追従して外側に引き出されることになる。
【００１２】
これにより、一対の第一内フィルム部及び一対の第二内フィルム部によって、米飯加工食品と分離していたシート状食品が一対の第一内フィルム部（第二内フィルム部）間から露呈して米飯加工食品と一体化することになる。
【００１３】
そして、シート状食品と米飯加工食品との一体化に合わせて、一対の第二内フィルム部に対する引っ張り作用で、剥離可能にシールされた外フィルム部、及び第一内フィルム部の両端部が剥離した後、最終的に外フィルム部の側端から一対の第一フィルム部の基端が分離し、第一内フィルム部及び第二内フィルム部が外フィルム部から切り離されることになる。そうすると、シート状食品と一体的になった米飯加工食品周りに略二つ折りの外フィルム部だけが残ることになる。これにより、外フィルム部を介してシート状食品と一体化した米飯加工食品を手掴みすることができる。
【００１４】
本発明の一態様として、第二内フィルム部の先端部が、第一内フィルム部の基端よりも外側に延出していることが好ましい。かかる米飯加工食品用包装材は、米飯加工食品を包装した状態で、各第二内フィルム部が外フィルム部及び第一内フィルム部の内側で二つ折りにされた状態になるので、上述のように第二内フィルム部の先端部が、第一内フィルム部の基端よりも外側に延出していると、開封時に第二内フィルム部の端部を把持し易くなり、開封時の操作性がより向上する。
【００１５】
本発明の他態様として、外フィルム部の側端部に第一内フィルム部の基端部が剥離可能にシールされることで、第一内フィルム部の基端が外フィルム部の側端に分離可能に接続されていることが好ましい。このようにすれば、開封時における他方向への引っ張り力で外フィルム部の側端部から第一フィルム部の基端部が剥離されるので、これらを円滑に分離させることができる。
【００１６】
また、一対の第一内フィルム部の先端部同士が剥離可能に一方向にシールされていることが好ましい。このようにすれば、一対の第一内フィルム部間が閉塞されるので、米飯加工食品を包装した状態で、その水分が第一内フィルム部間を介してシート状食品に到達してしまうのを確実に防止することができる。これにより、シート状食品の味や食感などを低下させてしまうことをより確実に防止することができる。
【００１７】
そして、第二内フィルム部は、少なくとも米飯加工食品と対向する面にエンボス加工が施されていることが好ましい。このようにすれば、開封時に生じる第二内フィルム部と米飯加工食品との間の抵抗が小さくなり、米飯加工食品を型くずれさせることなく容易に開封することができる。
【００１８】
そして、本発明に係る米飯加工食品包装体は、米飯加工食品が上記何れかの米飯加工食品用包装材で包装されていることを特徴とする。かかる米飯加工食品包装体は、上記何れかの米飯加工食品用包装材を用いて米飯加工食品が包装されているので、上述の如く、第二内フィルム部を引っ張ることでシート状食品と米飯加工食品とを一体的にして開封することができる上に、開封状態において外フィルムを介して米飯加工食品を手掴みできる状態にすることができる。
【発明の効果】
【００１９】
以上のように、本発明に係る米飯加工食品用包装材及び米飯加工食品包装体によれば、開封時に分断することなく引っ張るだけでシート状食品と米飯加工食品とを一体的にして開封することができ、しかも、シート状食品と一体的になった米飯加工食品を直接手掴みすることなく、衛生的に米飯加工食品を食することができるという優れた効果を奏し得る。
【発明を実施するための最良の形態】
【００２０】
以下、本発明の一実施形態に係る米飯加工食品用包装材及び米飯加工食品包装体について、添付図面を参照しつつ説明する。
【００２１】
本実施形態に係る米飯加工食品用包装材は、海苔や畳鰯、薄焼き卵等のシート状食品（本実施形態においては海苔）と、おにぎりや寿司等の塊状の米飯加工食品（本実施形態においては三角形状のおにぎり）とを分離状態で包装し、その包装したシート状食品と米飯加工食品とを一体的にして開封できるように構成されたものである。
【００２２】
該米飯加工食品用包装材は、図１及び図２に示す如く、平面視四角形状をなす外フィルム部１０と、外フィルム部１０の一方向に対して直交する他方向に並列をなして互いの先端部を付き合わすとともに各基端が外フィルム部１０の両側端に分離可能に接続された一対の第一内フィルム部２０，２０と、各第一内フィルム部２０，２０の先端から延出し、第一内フィルム部２０，２０との境界に折曲稜線Ｌを形成するように先端を外側にして折り返された一対の第二内フィルム部３０，３０とを備えている。なお、各図においては、第一内フィルム部２０及び第二内フィルム部３０を強調させるのに、これらを接続した部分（曲げ部分）に丸みを持たせて表現しているが、実際には厚みが非常に薄いこともあり、稜線を形成するように折り曲げられる。
【００２３】
外フィルム部１０は、包装時に最も外側に位置する部分で、本実施形態においては平面視長方形状に形成されている。そして、このように外フィルム部１０が長方形状に形成されることで、本実施形態では、前記一方向が長手方向で、前記他方向が長手方向と直交する短手方向となっている。なお、以下の説明においては、外フィルム部１０の一方向を長手方向といい、他方向を幅方向ということとする。
【００２４】
一対の第一内フィルム部２０，２０は、外フィルム部１０の幅方向の中央又は略中央で互いの先端を付き合わせるようにして設けられている。ここで、「先端部同士を付き合わせる」とは、互いの先端を線状に接触させることは勿論のこと、先端部同士が面交差方向に重なった態様も含むものであるが、本実施形態においては、一対の第一内フィルム部２０，２０は、先端同士を線状に接触させている。
【００２５】
一対の第一内フィルム部２０，２０のうち、一方の第一内フィルム２０は、基端部が外フィルム部１０の一側端部（幅方向の一方の端部）に剥離可能にシールされ、他方の第一内フィルム２０は、基端部が外フィルム部１０の他側端部（幅方向の他方の端部）に剥離可能にシールされている。具体的には、外フィルム部１０及び第一内フィルム部２０，２０の互いに対向する面には、イージーピール層（図示しない）が形成されており、第一内フィルム部２０，２０の基端部と外フィルム部１０の側端部とが所定幅のシールラインＳを形成するように全長に亘ってヒートシールされている。これにより、各第一内フィルム部２０，２０の基端部が外フィルム部１０の側端部に剥離可能（分離可能）になっている。そして、外フィルム部１０と第一内フィルム部２０，２０との間には、シート状食品Ａが介設されており、外フィルム部１０の長手方向の両端部と各第一内フィルム部２０，２０の両端部とが剥離可能にヒートシールされている。これにより、シート状食品Ａが外フィルム部１０と第一内フィルム部２０，２０とに包囲された状態になっている。なお、各図において、ハッチングを付した領域がシールされる領域を示している。
【００２６】
さらに、本実施形態に係る米飯加工食品用包装材１においては、互いに付き合わせた一対の第一内フィルム部２０，２０の先端同士が外フィルム部１０の長手方向に剥離可能にヒートシールされている。すなわち、一方の第一内フィルム部２０及び第二内フィルム部３０の境界に形成される折曲稜線Ｌと、他方の第一内フィルム部２０及び第二内フィルム部３０の境界に形成される折曲稜線Ｌとを、外フィルム部１０の長手方向の延びる線状のシールラインＳＬを形成するようにヒートシールすることで接続されている。これにより、該米飯加工食品用包装材１は、一対の第一内フィルム部２０，２０間を閉じて外フィルム部１０と第一内フィルム部２０，２０との間（シート状食品Ａ）に湿気（水分）が到達しないようになっている。
【００２７】
前記一対の第二内フィルム部３０，３０は、上述の如く、第一内フィルム部２０，２０との境界に折曲稜線Ｌを形成するように先端側を外側にして折り返され、各第一内フィルム部２０，２０に重なるように設けられている。すなわち、互いの折曲稜線Ｌ，Ｌ同士を付き合わせるように、二つ折りにした二枚のフィルムが並設されることにより、一対の第一内フィルム部２０，２０、及び一対の第二内フィルム部３０，３０が形成されている。
【００２８】
そして、本実施形態において、各第二内フィルム部３０，３０は、一方の面（第一内フィルム部２０，２０と対向する面とは反対側の面）にエンボス加工が施されており、少なくとも米飯加工食品Ｂと接触する面に滑り性を備えている。なお、このエンボス加工の他に、米飯加工食品Ｂとの抵抗を小さくするコーティング（例えば、フッ素やシリコンコーティング）を施しもよいし、エンボス加工又はコーティングを施したフィルムを積層し、これを第二内フィルム部３０，３０に対してヒートシールしたり、接着剤を介して貼着したりしてもよい。
【００２９】
一対の第二内フィルム部３０，３０は、第一内フィルム部２０，２０の先端の全長に亘って延設されており、先端部が第一内フィルム部２０，２０の基端よりも外側に位置するように寸法設定されている。すなわち、一対の第二内フィルム部３０，３０は、第一内フィルム部２０，２０の先端からの延出量が、外フィルム部１０の側端からの第一内フィルム部２０，２０の延出量よりも長く設定されており、第一内フィルム部２０，２０の基端から外側に端部が延出している。
【００３０】
本実施形態に係る米飯加工食品用包装材１は、図３（ａ）〜図３（ｅ）に示す如く、外フィルム部１０、第一内フィルム部２０，２０、及び第二内フィルム部３０，３０が一枚の樹脂フィルムＦに対して曲げ加工、シール加工、切断加工を行うことで形成されている。より具体的に説明すると、米飯加工食品用包装材１を形成するための樹脂フィルムＦは、平面視略長方形状に形成されており、図３（ａ）に示す如く、長手方向の長さが、外フィルム部１０の幅方向の長さ、一対の第一内フィルム部２０，２０の合計延出量、一対の第二内フィルム部３０，３０の合計延出量、後述する一対の切除領域（切除代）１０ａ’の合計長さを合計した長さに設定され、長手方向と直交する短手方向の長さが外フィルム部１０の長手方向の長さに設定されている。
【００３１】
そして、該樹脂フィルムＦは、短手方向の延びる中心線を含む中央の領域（樹脂フィルムＦの長手方向で外フィルム部１０の幅方向の長さに設定された領域）が、前記外フィルム部１０となる第一領域１０’に設定されるとともに、第一領域１０’の両側で隣接する所定幅の領域が後の工程で第一領域１０’と後述の第二領域２０’，２０’とを分離するための切除領域１０ａ’，１０ａ’に設定され、各切除領域１０ａ’，１０ａ’の両側で隣接する所定領域（樹脂フィルムＦの長手方向で第一内フィルム部２０，２０の延出量に相当する長さに設定された領域）が第一内フィルム部２０，２０となる第二領域２０’，２０’に設定され、各二領域２０’，２０’に隣接する該樹脂フィルムＦの両端の所定領域（樹脂フィルムＦの長手方向で第二内フィルム部３０，３０の延出量に相当する長さに設定された領域）が第二内フィルム部３０，３０となる第三領域３０’，３０’に設定されている。すなわち、該樹脂フィルムＦは、外フィルム部１０となる第一領域１０’を挟んで第一内フィルム部２０，２０となる一対の第二領域２０’，２０’、一対の切除領域２０ａ’，２０ａ及び第二内フィルム部３０，３０となる一対の第三領域３０’，３０’が対称的に設定されている。なお、以下の説明において、第一領域１０’と切除領域１０ａ’との境界を第一境界Ｌ１といい、切除領域１０ａ’と第二領域２０’との境界を第二境界Ｌ２といい、第二領域２０’と第三領域３０’との境界を第三境界Ｌ３ということとする。
【００３２】
そして、本実施形態に係る樹脂フィルムＦは、一方の面Ｅにエンボス加工が施されるとともにイージーピール性（剥離容易性）が付与されている（以下、このイージーピール性の付与された面をイージーピール面という）。ここでイージーピール性とは、ヒートシールや超音波シールによる溶着や、接着剤を介しての接着によって接合させた部位の接続強度を弱めて剥離し易くした特性をいい、本実施形態においては、ヒートシールを前提にしてイージーピール性が付与されている。
【００３３】
そして、樹脂フィルムＦに対するイージーピール性の付与は、少なくとも一方の面Ｅにシールに対するイージーピール性（剥離性）に優れたイージーピール層が形成されたイージーピールフィルムで樹脂フィルムＦを構成したり、樹脂フィルムＦの表面にパートコートを施したり、樹脂フィルムＦの表面を粗面にしたりすることで行うことができる。
【００３４】
上記条件の樹脂フィルムＦから米飯加工食品用包装材１を作製するには、まず、図３（ｂ）に示す如く、樹脂フィルムＦの両端にある第三領域３０’、３０’を第三境界Ｌ３でイージーピール面Ｅとは反対側に折り返す。しかる後、図３（ｃ）に示す如く、第一領域１０’のイージーピール面Ｅ側にシート状食品Ａを配置する。
【００３５】
そして、図３（ｄ）に示す如く、第一境界Ｌ１と第二境界Ｌ２が重なるように切断領域１０ａ’を二つ折りにして、第二領域２０’、２０’をイージーピール面Ｅ側に折返し、第三境界Ｌ３（折曲稜線Ｌ）を互いに付き合わせた状態にする。この状態で、第一領域１０’のイージーピール面Ｅと第二領域２０’，２０’のイージーピール面Ｅとが対向し、付き合わせた第三境界Ｌ３，Ｌ３同士もイージーピール面Ｅが対向した状態となる。また、第二領域２０’，２０’のイージーピール面Ｅの反対面と第三領域３０’，３０’のイージーピール面Ｅの反対面とが対向した状態、すなわち、第三領域３０’，３０’のイージーピール面Ｅが外側に向いた状態となる。
【００３６】
そして、図３（ｅ）に示す如く、二つ折りにされた切除領域１０ａ’近傍で第一領域１０’と第二領域２０’とを所定幅で剥離可能にヒートシールした後、切除領域１０ａ’を第一境界Ｌ１及び第二境界Ｌ２に沿って切除する。これによって分断された第一領域１０’と第二領域２０’、２０’とがシールによって接続された状態になる。そして、樹脂フィルムＦの短手方向である第一領域１０’の両端部と各第二領域２０’，２０’の両端部とを所定幅でヒートシールし、シート状食品Ａを包囲した所定幅のシールラインＳを形成するとともに、互いに付き合わせた第三境界Ｌ３をその境界Ｌ３に沿ってヒートシールして線状のシールラインＳＬを形成し、第三境界Ｌ３を剥離可能に接合させる。
【００３７】
これにより、第一領域１０’が外フィルム部１０になり、各第二領域２０’，２０’が各第一内フィルム部２０，２０になり、各第三領域３０’，３０’が第二内フィルム部３０，３０になる。また、外フィルム部１０の長手方向の両端部とこれに対向する第一内フィルム部２０，２０の両端部とが剥離可能にシールされた状態にもなる。
【００３８】
上記構成の米飯加工食品用包装材１は、図４〜図７に示す如く、第二内フィルム部３０，３０が内側にして米飯加工食品Ｂを包み込むように外フィルム部１０の長手方向で二つ折りにし、これによって対向する第二内フィルム部３０，３０の端部同士をシールすることで米飯加工食品Ｂを包装するようになっている。すなわち、該米飯加工食品用包装材１は、一対の第二内フィルム部３０，３０上に米飯加工食品Ｂを載置した上で、一対の第二内フィルム部３０，３０を内側にして外フィルム部１０の長手方向で二つ折りにし、第二内フィルム部３０，３０の対向する端部同士を所定幅のシールラインＳ’を形成するようにヒートシールすることで、シート状食品Ａと米飯加工食品Ｂとが分離した状態で包装するようになっている。このように米飯加工食品Ｂを包装することで、米飯加工食品Ｂが上記構成の米飯加工食品用包装材１で包装された米飯加工食品包装体Ｘとなる。
【００３９】
そして、米飯加工食品包装体Ｘを開封する場合、米飯加工食品用包装材１の両側端となる一対の第二内フィルム部３０，３０の先端部を離間させるように引っ張ると、その引っ張り力が第二内フィルム部３０，３０を介して第一内フィルム部２０，２０の先端側に作用し、図８（ａ）に示す如く、ヒートシールされた一対の第一内フィルム部２０，２０の先端が剥離することになる。また、これに併せて、図９（ａ）に示す如く、外フィルム部１０にシールされた一対の第一内フィルム部２０，２０の長手方向の両端部についても、該外フィルム部１０の中央側から剥離することになる。
【００４０】
そして、第二内フィルム部３０，３０に対する引っ張り作用で、図８（ｂ）、及び図９（ｂ）に示す如く、第一内フィルム部２０，２０と第二内フィルム部３０，３０との境界にある折曲稜線Ｌが第一内フィルム部２０，２０の先端側から基端側に移行しつつ、第一内フィルム部２０，２０の先端側が第二内フィルム部３０，３０に引かれて外側に引き出されることになる。
【００４１】
このように一対の第一内フィルム部２０，２０が外側に引き出されることで、一対の第一内フィルム部２０，２０間の間隔が広がって、米飯加工食品Ｂの収容された領域にシート状食品Ａが露呈することになる。そして、図８（ｃ）、図９（ｃ）及び図１０（ａ）に示す如く、米飯加工食品Ｂとシート状食品Ａとの間から第一内フィルム部２０，２０が基端部近傍まで引き出されると、シート状食品Ａと米飯加工食品Ｂとが一体化し、さらに、引っ張ることで第一内フィルム部２０，２０の基端部が外フィルム部１０の側端部から剥離することになる。
【００４２】
そうすると、図１０（ｂ）に示す如く、第一内フィルム部２０，２０及び第二内フィルム部３０，３０が外フィルム部１０から分離され、図１０（ｃ）に示す如く、残った外フィルム部１０が二つ折りになった状態でシート状食品Ａと一体的になった米飯加工食品Ｂを包み込んだ状態になる。これにより、外フィルム部１０を介してシート状食品Ｂと一体的になった米飯加工食品Ａを手掴みすることができ、手が汚れていても衛生的に米飯加工食品Ａを食することができる。
【００４３】
以上のように、本実施形態に係る米飯加工食品用包装材１は、米飯加工食品Ｂを包装した状態から第二内フィルム部３０，３０の両端を互いに離間する方向に引っ張るだけで、米飯加工食品Ｂと分離していたシート状食品Ａと米飯加工食品Ｂとを一体化することができ、さらに、外フィルム部１０を介し、シート状食品Ａと一体化した米飯加工食品Ｂを手掴みできる状態にすることができる。
【００４４】
そして、第二内フィルム部３０，３０の先端部を第一内フィルム部２０，２０の基端よりも外側に延出させることで、開封時に第二内フィルム部３０，３０の端部が把持しやすく、開封がより簡単である。
【００４５】
さらに、一対の第二内フィルム部３０，３０の米飯加工食品Ｂと対向する面にエンボス加工を施したので、開封時に生じる第二内フィルム部３０，３０と米飯加工食品Ｂとの間の抵抗が小さくなり、米飯加工食品Ｂを型くずれさせることなく容易に開封することができる。
【００４６】
また、一対の第一内フィルム部２０，２０の先端部同士が剥離可能にヒートシールされているので、米飯加工食品Ｂを包装した状態で、米飯加工食品Ｂの水分が第一内フィルム部２０，２０間を介してシート状食品Ａに到達してしまうのを防止することができる。これにより、シート状食品Ａの食感を害することなく包装することができる。
【００４７】
そして、一枚の樹脂フィルムＦに対して曲げ加工、シール加工、切断加工を行うことで外フィルム部１０、第一内フィルム部２０，２０、及び、第二内フィルム部３０，３０を形成するようにしているので、簡単に製造することができる。
【００４８】
尚、本発明の米飯加工食品用包装材は、上記実施形態に限定されるものではなく、本発明の要旨を逸脱しない範囲内において種々変更を加え得ることは勿論である。
【００４９】
上記実施形態において、一枚の樹脂フィルムＦから外フィルム部１０、一対の第一内フィルム部２０，２０、及び第二内フィルム部３０，３０を形成するようにしたが、これに限定されるものではなく、例えば、枚葉状をなす複数枚のフィルム片を接続して外フィルム部１０等を形成するようにしてもよい。
【００５０】
具体的には、図１１に示す如く、折曲稜線Ｌを介して接続された第一内フィルム部２０と第二内フィルム部３０とを形成するように二つ折りにした樹脂フィルムＦａ，Ｆｂを二枚作製し、その二枚の樹脂フィルムＦａ，Ｆｂをそれぞれの折曲稜線Ｌを付き合わせるように配置するとともに、各樹脂フィルムＦａ，Ｆｂの一方の片（第一内フィルム部２０に相当）にシート状食品Ａを介して外フィルム部１０となる長方形状の樹脂フィルムＦｃを重ね合わせ、シート状食品Ａを包囲するように一方の片と外フィルム部１０となる樹脂フィルムＦｃとを剥離可能にヒートシールするようにしてもよい。この種の米飯加工食品用包装材は、一般的に外フィルム部１０に対して商品名や商品イメージ等の印刷が施されるものであるが、商品仕様の変更（例えば、米飯加工食品Ｂ内の具の変更）や価格の変更等に伴って印刷内容が変更されることがあり、印刷内容の変更を行うに際して変更前の内容を印刷した米飯加工食品用包装材全体を廃棄しなければならない場合がある。しかしながら、上述の如く、印刷の対象となる外フィルム部１０を別個独立に構成しておけば、印刷の変更があっても外フィルム部１０のみに対する印刷作業や廃棄だけでよく、印刷内容の変更に伴う無駄を最小限に抑えることができる。
【００５１】
また、上記実施形態において、外フィルム部１０と第一フィルム部２０，２０とを所定幅で剥離可能にシールし、開封時に外フィルム部１０から第一フィルム部２０，２０を分離できるようにしたが、例えば、一枚のフィルムを曲げ加工して外フィルム部１０、第一内フィルム部２０，２０及び第二内フィルム部３０，３０を連続的に形成するとともに、外フィルム部１０と第一内フィルム部２０，２０との境界に切断補助線（例えば、ミシン目やハーフカット等）を設け、開封時に切断補助線で破断することで外フィルム部１０と第一内フィルム部２０，２０とを分離できるようにしてもよい。
【００５２】
このようにしても、第一内フィルム部２０，２０を外フィルム部１０から分離させることができ、上記実施形態と同様の作用及び効果を奏することができる。なお、この場合においては、切断補助線で円滑に切断できるようにするために、外フィルム部１０の一方向の少なくとも何れか一方の端部（切断補助線の端部）において、外フィルム部１０と第一フィルム部２０，２０との境界上にノッチや切欠き等を設けておくことが好ましい。また、この場合、外フィルム部１０及び第一内フィルム部２０，２０は、既に接続された態様となるので、必ずしも外フィルム部１０の側端部と第一内フィルム部２０，２０の基端部とを所定幅でヒートシールする必要はないことは言うまでもない。
【００５３】
また、外フィルム部１０の側端部に第一内フィルム部２０の基端部を強固にシールし、上述のような切断補助線を外フィルム部１０又は第一内フィルム部２０におけるシール部分近傍に設けてもよい。このようにしても、開封時に外フィルム部１０に対して第一内フィルム部２０が切断補助線で分断（分離）させることができるので、上記実施形態と同様の効果を奏することができる。但し、このようにすると、フィルムに対するシールやフィルムに対する切断補助線の加工等によって製造コストが高騰する傾向にあるため、外フィルム部１０と第一フィルム部２０，２０とを所定幅で剥離可能にシールするようにしたり、上述のように一枚のフィルムを曲げ加工して外フィルム部１０、第一内フィルム部２０，２０及び第二内フィルム部３０，３０を形成し、外フィルム部１０と第一内フィルム部２０，２０との境界に切断補助線（例えば、ミシン目やハーフカット等）を設けたりすることが好ましい。さらに、開封の容易性（外フィルム部１０に対する第一内フィルム部２０の分離性）を考慮すれば、外フィルム部１０の側端部と第一フィルム部２０，２０の基端部とを所定幅で剥離可能にシールすることがより好ましい。
【００５４】
上記実施形態において、一対の第一内フィルム部２０，２０の先端同士を剥離可能にヒートシールするようにしたが、これに限定されるものではなく、単に互いの先端同士を付き合わせるようにしてもよい。但し、米飯加工食品Ｂの水分がシート状食品Ａに到達するのを確実に防止するには、上記実施形態と同様に、先端同士をヒートシールすることが好ましい。
【００５５】
上記実施形態において、一対の第一内フィルム部２０，２０の先端同士を接触させる（付き合わせる）ように一対の第一内フィルム部２０，２０を配置したが、これに限定されるものではなく、例えば、一対の第一内フィルム部２０，２０の先端部同士が重なりあうように、第一内フィルム部２０，２０を配置するようにしてもよい。このように先端部同士を重ね合わせる場合、その先端近傍同士（第一内フィルム部２０，２０の先端部と相手側の第一内フィルム部２０，２０の先端近傍の第二内フィルム部３０，３０の基端部と）をヒートシールするようにすれば、上記実施形態と同様に米飯加工食品Ｂの水分がシート状食品Ａに到達するのを防止することができる。
【００５６】
上記実施形態において、第二内フィルム部３０，３０の先端部が第一内フィルム部２０，２０の基端よりも外側に延出するように構成したが、これに限定されるものではなく、例えば、第二内フィルム部３０，３０の先端が第一内フィルム部２０，２０の基端と一致、或いは、第一内フィルム部２０，２０の基端よりも内側に位置するようにしてもよい。但し、開封時の操作性を考慮すれば、上記実施形態と同様に第二内フィルム部３０，３０の先端部を第一内フィルム部２０，２０の基端よりも外側に位置させることが好ましいことは言うまでもない。
【００５７】
上記実施形態において、開封時の剥離性を考慮して一方の面全面にイージーピール性の付与された樹脂フィルムＦを採用するようにしたが、例えば、ヒートシールされる部分であって剥離性の要求される領域にのみイージーピール性を付与するようにしてもよい。
【００５８】
上記実施形態において、所定幅のシールライン（帯状のシールライン）Ｓを形成するように外フィルム部１０の側端部と第一内フィルム部２０の基端部とを剥離可能にシールしたが、例えば、外フィルム部１０の幅方向の中央側にあるシールラインのエッジを鋸刃状或いは波線状に形成したり、外フィルム部１０の側端と第一内フィルム部２０の基端とを鋸刃状又は波線状に溶断シールしたりしてもよい。このようにすれば、第二内フィルム部３０を引っ張って第一内フィルム部２０の基端部を外フィルム部１０の側端部から剥離（分離）させるときに、その引っ張り力がシールラインのエッジ上に形成される複数の頂点に集中的に作用するので、各頂点を起点にして第一内フィルム部２０を外フィルム部１０から円滑に剥離（分離）させることができる。
【００５９】
上記実施形態において、外フィルム部１０を平面視長方形状に形成し、外フィルム部１０の長手方向を一方向として包装時に外フィルム部１０の長手方向で二つ折りにするようにしたが、これに限定されるものではなく、包装する米飯加工食品Ｂの対応に応じて適宜変更すればよい。すなわち、外フィルム部１０は、平面視四角形状に形成されていればよく、例えば、米飯加工食品Ｂが棒状に形成されたものである場合には、外フィルム部１０を平面視略正方形状に形成し、何れか一方向と直交する他方向を幅方向として一対の第一内フィルム部２０，２０及び一対の第二内フィルム部３０，３０を設け、包装時に一方向で二つ折りにするようにしてもよい。このようにすれば、包装した状態で横長な態様のものとなり、棒状の米飯加工食品Ｂに適して状態で包装することができる。また、外フィルム部１０を平面視長方形状に形成し、その長手方向を幅方向として一対の第一内フィルム部２０，２０及び一対の第二内フィルム部３０，３０を設け、包装時に一方向（短手方向）で二つ折りにするようにしてもよい。このようにしても、包装した状態で横長な態様のものとなり、棒状の米飯加工食品Ｂに適して状態で包装することができる。
【００６０】
上記実施形態において、一枚の樹脂フィルムＦを折り曲げる工程として、第三領域３０’，３０’を折り返した後に、第二領域２０’，２０’を折り返すようにしたが、これに限定されるものではなく、例えば、第二領域２０’，２０’を折り返した後に、第三領域３０’，３０’を折り返すようにしてもよい。また、第一領域１０’上にシート状食品Ａを配置した上で第二領域２０’，２０’を折り返すことで、外フィルム部１０と第一内フィルム部２０，２０との間にシート状食品Ａを介設するようにしたが、例えば、第二領域２０’，２０’を折り返した後に、第一領域１０’と第二領域２０’，２０’との間にシート状食品Ａを挿入するようにしてもよい。そして、各部をヒートシールするタイミングも上記工程に限定されるものではなく、適宜変更可能である。
【００６１】
上記実施形態において、米飯加工食品用包装材１（米飯加工食品包装体Ｘ）の開封態様として、一対の第二内フィルム部３０，３０を同時に引っ張るようにしたが、これに限定されるものではなく、例えば、一方の第二内フィルム部３０を引っ張って該第二内フィルム３０に繋がる第一内フィルム部２０を引き出し、該第一内フィルム部２０を外フィルム部１０から剥離（分離）させた後に、他方の第二内フィルム３０を引っ張って該第二内フィルム３０に繋がる第一内フィルム部２０を引き出し、該第一内フィルム部２０を外フィルム部１０から剥離（分離）させるようにしても勿論よい。すなわち、一対の第二内フィルム部３０を引っ張って第一内フィルム部２０を引き出すタイミングや、第一内フィルム部２０，２０を外フィルム部１０から剥離させるタイミング等は米飯加工食品Ｂを食する者の好みに応じて適宜選択すればよい。
【図面の簡単な説明】
【００６２】
【図１】本発明の一実施形態に係る米飯加工食品用包装材（未包装時）の斜視図を示す。
【図２】同実施形態に係る米飯加工食品用包装材（未包装時）の縦断面図であって、図１のＩ−Ｉ断面図を示す。
【図３】同実施形態に係る米飯加工食品用包装材の製造工程を説明するための概略図であって、（ａ）は、曲げ加工前の樹脂フィルムの概略を示し、（ｂ）は、第三領域を折返した状態を示し、（ｃ）は、第一領域上にシート状食品を配置した状態を示し、（ｄ）は、第二領域を折り返した状態を示し、（ｅ）は、第一領域と第二領域とをシールして切除領域を切除した状態（米飯加工食品用包装材になった状態）を示す。
【図４】同実施形態に係る米飯加工食品包装体（米飯加工食品を米飯加工食品用包装材で包装した状態）の斜視図を示す。
【図５】同実施形態に係る米飯加工食品包装体（米飯加工食品を米飯加工食品用包装材で包装した状態）であって、（ａ）は、正面図を示し、（ｂ）は、縦断面図を示す。
【図６】同実施形態に係る米飯加工食品包装体（米飯加工食品を米飯加工食品用包装材で包装した状態）の部分拡大断面図を示す。
【図７】同実施形態に係る米飯加工食品包装体（米飯加工食品を米飯加工食品用包装材で包装した状態）であって、（ａ）は、図５（ａ）のＩＩ矢視図を示し、（ｂ）は、図５（ａ）のＩＩＩ−ＩＩＩ断面図を示す。
【図８】同実施形態に係る米飯加工食品包装体を開封する際の図７（ｂ）に示す部位の状態図であって、（ａ）は、第一内フィルム部が引き出されて第一内フィルム部の先端同士が離間した状態を示し、（ｂ）は、（ａ）の状態から第一内フィルム部がさらに外側に引き出される状態を示し、（ｃ）は、（ｂ）の状態から第一内フィルム部がさらに引き出された状態を示す。
【図９】同実施形態に係る米飯加工食品包装体を開封する際の図７（ａ）に示す部位の状態図であって、（ａ）は、第一内フィルム部が引き出されて第一内フィルム部の先端同士が離間し、第一内フィルム部が外フィルム部から剥離し始めた状態を示し、（ｂ）は、（ａ）の状態から第一内フィルム部がさらに外側に引き出される状態を示し、（ｃ）は、（ｂ）の状態から第一内フィルム部がさらに引き出された状態を示す。
【図１０】同実施形態に係る米飯加工食品包装体を開封する際の斜視図であって、（ａ）は、第一内フィルム部が引き出され、内部でシート状食品と米飯加工食品とが一体的になった状態を示し、（ｂ）は、第一内フィルム部及び第二内フィルム部が外フィルム部から分離した状態を示し、（ｃ）は、シート状食品と一体的になった米飯加工食品を食する状態（外フィルム部を介して米飯加工食品を手掴みする状態）を示す。
【図１１】本発明の他実施形態に係る米飯加工食品用包装材の分解斜視図を示す。
【符号の説明】
【００６３】
１…米飯加工食品用包装材、Ｘ…米飯加工食品包装体、１０…外フィルム部、１０’…第一領域、１０ａ’…切除領域（切除代）、２０…第一内フィルム部、２０’…第二領域、３０…第二内フィルム部、３０’…第三領域、３１…滑り用フィルム、Ａ…シート状食品、Ｂ…米飯加工食品、Ｌ…折曲稜線、Ｌ１…第一境界、Ｌ２…第二境界、Ｓ，Ｓ’…シールライン、Ｆ…樹脂フィルム、Ｅ…イージーピール面
【図１】
2009113834.tif 000003
【図２】
2009113834.tif 000004
【図３】
2009113834.tif 000005
【図４】
2009113834.tif 000006
【図５】
2009113834.tif 000007
【図６】
2009113834.tif 000008
【図７】
2009113834.tif 000009
【図８】
2009113834.tif 000010
【図９】
2009113834.tif 000011
【図１０】
2009113834.tif 000012
【図１１】
2009113834.tif 000013